(57)【要約】【課題】  犬や猫などのペットを散歩に連れ出す際に取付けるハーネスであって、夜間暗闇の中を歩いても交通事故に合わないようにしたペット用ハーネスの提供。【解決手段】  犬や猫などのペットを散歩に連れ出す際に前脚３を挟んだ状態で胴体に取付ける前リング４と後リング５を有し、ハーネス２は蓄光顔料を含有した繊維から成る糸を少なくとも一部に用いて織編みしている。【選択図】    図１
0003122960.tif 000002
【実用新案登録請求の範囲】
【請求項１】
犬や猫などのペットを散歩に連れ出す際に首に取付ける首輪であって、該首輪は蓄光顔料を含有した繊維から成る糸を少なくとも一部に用いて織編みしたことを特徴とするペット用首輪。
【請求項２】
犬や猫などのペットを散歩に連れ出す際に首に取付ける首輪であって、該首輪にはバンダナを取付け、該首輪及びバンダナは蓄光顔料を含有した繊維から成る糸を少なくとも一部に用いて織編みしたことを特徴とするペット用首輪。
【請求項３】
上記首輪には、蓄光顔料を含有した繊維から成る糸を少なくとも一部に用いて織編みしたリードを連結した請求項１、又は請求項２記載のペット用首輪。
【請求項４】
ポリエステル製マルチフィラメントに蓄光顔料を８％含有した請求項１、請求項２、又は請求項３記載のペット用首輪。
【請求項５】
ポリエステル製ステープルファイバーに蓄光顔料を１０％含有した請求項１、請求項２、又は請求項３記載のペット用首輪。
【請求項６】
犬や猫などのペットを散歩に連れ出す際に前脚を挟んだ状態で首と胴体に取付ける前リングと後リングが互いに連結して成るハーネスであって、該ハーネスは蓄光顔料を含有した繊維から成る糸を少なくとも一部に用いて織編みしたことを特徴とするペット用ハーネス。
【請求項７】
犬や猫などのペットを散歩に連れ出す際に前脚を挟んだ状態で首と胴体に取付ける前リングと後リングが互いに連結して成るハーネスであって、該ハーネスは１本の連続したバンドを８字状とし、クロス部にはバンドが挿通する穴を形成した連結部を設け、又長さ調整用のアジャスター、及びバンド両端を連結するバックルを備え、そして上記バンドは蓄光顔料を含有した繊維から成る糸を少なくとも一部に用いて織編みしたことを特徴とするペット用ハーネス。
【請求項８】
上記ハーネスには、蓄光顔料を含有した繊維から成る糸を少なくとも一部に用いて織編みしたリードを連結した請求項６、又は請求項７記載のペット用ハーネス。
【請求項９】
ポリエステル製マルチフィラメントに蓄光顔料を８％含有した請求項６、請求項７、又は請求項８記載のペット用ハーネス。
【請求項１０】
ポリエステル製ステープルファイバーに蓄光顔料を１０％含有した請求項６、請求項７、又は請求項８記載のペット用ハーネス。
【考案の詳細な説明】
【技術分野】
【０００１】
本考案は犬や猫などのペットが夜間散歩中に交通事故に遭遇しないようにする安全機能を備えたハーネス及び首輪に関するものである。ここで、ハーネス(胴輪)とは前足を挟んで胴体と首を拘束することが出来るバンドであって、首を絞めることなく散歩に連れ出すことが出来る。
【背景技術】
【０００２】
近年はペットブームであって、多くの家庭で犬や猫を飼っている場合が多く、内閣府の調べによると人口１００万以上の大都市では約３０％、人口１５万以上で１００万未満の中都市では約３４％、人口５万以上で１５万未満の小都市では約３８％、さらに町村では約４７％がペットを飼育している。
【０００３】
そして、これらペットに費やされる費用も高くなっている。購入時の平均価格は、犬が１２万円以上、猫が７万円以上となり、そして１ヶ月当りのフード平均支出額は犬が５６００円程度、猫が６３００円程度となっていて、家計支出に対する大きな割合を占めるようになっている。このようなことから、ペットに対する愛情も高く、子供がいない家庭は勿論であるが、子供が大きく成長した後は、わが子のように可愛がっている。
【０００４】
従って、早朝又は夕方にペットを連れて散歩に出かけるケースは多く見受けられ、同じく公園などでもペットを遊ばしている光景を見受ける。ところで、ペットを夜間の散歩中に交通事故に遭遇するケースが多発しており、このことはペット及びその飼主は勿論のこと、車の運転手にとっても大きな問題となっている。夜間において、車の運転手にとって比較的小さいペットの存在を確認することは容易でなく、急に車道側へ飛び出すことがある。勿論、ペットの存在を確認している場合であるならば、近くを走向する運転手はそれなりの注意を払うことが出来るが、存在が分からない限り無理である。
【０００５】
ところで、ペットの存在を運転手が確認し易いように工夫した考案も色々知られている。例えば、実用新案登録第３０８７５５４号に係る「交通安全等用のＬＥＤ発行プレート」は、布、皮、その他任意の柔軟な素材、又はプラスチック、ゴム、金属その他任意の硬質な素材を持って、帯状、長円形、その他任意の形状に形成し、それを積層一体化したものの積層間に１個以上のＬＥＤ、電池、ＬＳＩ、スイッチを回路を形成設置して発光プレートを設け、発光プレートをテープファスナー若しくは締結金具など付きのバンド、その他の取付け手段でペットの首輪、自転車、衣服、その他の対象物に着脱自在に取付け、又は縫着、接着、ネジ止め、カシメ止め、その他任意の固着手段で対象物に固着するように備えている。
【０００６】
このＬＥＤ発光プレートは、基本的に首輪としてペットに装着されるが、ペットの向きによっては存在が分かり難く、又製作コストは高くなる。一方、上記電子部品を装着している為に非常に重い首輪となり、小さなペットにとっては負担となる。
【０００７】
実用新案登録第３０４１７８８号に係る「犬、猫などのペット用安全首輪」は、通行人や車のドライバーから存在が認知できるように、首輪の表革部と裏革部の間に蛍光シールを挟み、表革部分を適宜の形状にくり抜き、蛍光部分を露出させることで発光させる構造と成っている。この首輪の場合もペットの向きによってはドライバーにとって分かり難く、しかも蛍光シールである為に車のライトが当らない限り発光しない為に、存在に気が付くことが遅れることが多い。
【特許文献１】実用新案登録第３０８７５５４号に係る「交通安全等用のＬＥＤ発行プレート」
【特許文献２】実用新案登録第３０４１７８８号に係る「犬、猫などのペット用安全首輪」
【考案の開示】
【考案が解決しようとする課題】
【０００８】
このようにペット安全具は色々知られているが、上記のごとき問題がある。本考案が解決しようとする課題はこれら問題点であり、光が当たらなくても長時間にわたって発光することが出来るペット用ハーネス及び首輪を提供する。
【課題を解決するための手段】
【０００９】
本考案に係るペット用ハーネスは前脚を挟んで設けた２個のリングで胴体と首を拘束するものであり、両リングは互いに連結している。勿論、着脱可能なように上記リングはバンドで構成され、バックルを介して締め付ける構造としている。そして、同じく首輪の場合も着脱可能なようにバンド型式とし、これらハーネス及び首輪にはロープ(リード)が連結される。
【００１０】
そして、上記ハーネス及び首輪、並びにリードは暗闇になると発光することが出来るように蓄光繊維で構成している。蓄光とは昼の明るい間に光を蓄え、暗くなったところで光を放つことが出来る性質であり、本考案は蓄光顔料を繊維に含浸している。本考案のペットハーネス及び首輪は上記蓄光顔料を含浸した繊維から成る糸を少なくとも一部に用いて織編みしたものである。該繊維から成る糸を使用して織編みしても織機や編機を損傷することはなく、又織編み生地は洗濯にも強い。
【考案の効果】
【００１１】
本考案のペット用ハーネス及び首輪、並びにリードは蓄光顔料を含浸した繊維を使用して織編みした生地が用いられ、該生地を用いたハーネス、首輪、並びにリードをペットに取付けて夜間に散歩に出かける場合、該ハーネス、首輪、リードが発光する為に交通事故に遭う危険を防止できる。該ハーネス、首輪、リードは蓄光繊維が用いられている為に、暗闇の中で蛍光を発することが出来、車のライトが当らなくても遠くに居るペットを確認することが可能と成る。
【実施例】
【００１２】
図１は犬１にハーネス２を取付けた場合の具体例であり、該ハーネス２は犬の前脚３，３を挟んだ状態で胴体に取付けられている。上記ハーネス２は前リング４と後リング５を有し、前リング４と後リング５は上連結部６と下連結部７とで互いに離れないように繋がっている。そして、胴体に取付けたハーネス２からはリード８が延びている。
【００１３】
上記前リング４、後リング５、上連結部６、及び下連結部７を織編する際に使用される糸の繊維は蓄光顔料を含浸したものであって、例えばポリエステル製マルチフィラメントに蓄光顔料８％を含有したり、又はポリエステル製ステープルファイバーに蓄光顔料１０％を含有した繊維から成る糸を使用することが出来る。図２はポリエステル製マルチフィラメントに蓄光顔料８％を含有した蓄光繊維の輝度と残光時間の関係を表している。
【００１４】
上記ポリエステル製マルチフィラメントに蓄光顔料８％を含有した蓄光繊維を２４時間にわたって光を遮断した状態に置き、これを１５Ｗの卓上蛍光灯にて２０分間垂直照射する。この時の温度は２５℃、湿度は６５％である。同図から明らかなように、照射後約１時間は輝度が急激に低下するが、それ以降の輝度低下は小さくて長時間にわたって光を放つことが出来る。
【００１５】
ところで、本考案のハーネス２は少なくともその一部に蓄光繊維で構成した糸が使用されることで、該ハーネス２は夜間においても光を放つことが出来る。従って車のドライバーは遠くからその光を認知することが可能と成る。勿論、車のヘッドライトの光が当たらなくてもハーネス自らが発光する。
【００１６】
図３は別形態のハーネス９を取付けた犬１を表している。このハーネス９は前リング１０と後リング１１が上部の連結部１２にて繋がれている。そして、この連結部１２にはリードが連結される。この前リング１０及び後リング１１は犬の首周りと胴回りに適した長さに調整されて連結具１３，１３を介して連結されている。
【００１７】
この長さ調整並びに連結具１３，１３に関しては、前記図１のハーネス２を構成している前リング４及び後リング５にも備わっている。そして、ハーネス９は蓄光繊維で構成した糸が使用されることで、夜間においても光を放つことが出来る。
【００１８】
図４はハーネス１４を単独で表している実施例であり、該ハーネス１４は連続した１本のバンド１５が８字状を成しており、クロス部には連結部１６を設けている。連結部１６を境として上部は首に取付けられ、下部は胴部に取付けられる。バンド１５が挿通している連結部１６の位置は自由に変えることが出来る為に、首周りの長さ、及び胴周りの長さの調整が可能となる。
【００１９】
そして、バンド全体の長さを調整するために、アジャスター１７が備わっており、又バックル１８にてバンド１５が連結される。すなわち、バックル１８を外した状態で犬に取付け、最後にアジャスター１７にて長さ調整を行ってからバックル１８が連結される。
【００２０】
図１、図３、図４ではハーネス２，９，１４を具体的に説明したが、犬の首に取付ける首輪の場合も同じように蓄光繊維で構成した糸が使用され、その為に夜間においても光を放つことが出来る。一方、本考案のハーネス及び首輪に連結するリードも蓄光繊維で構成した糸が用いられて編成されている。従って、該リードからも光を放つことが出来、リードは細長く延びる為にドライバーにとって如何なる位置からでも確認し易くなる。
【００２１】
一方、首輪には必要に応じてバンダナ(エプロン)を取付ける場合もある。そして、該バンダナからも夜間においても光を放つことが出来るように、蓄光繊維で構成した糸が使用される。
【図面の簡単な説明】
【００２２】
【図１】本考案のハーネスを取付けた犬。
【図２】ポリエステル製マルチフィラメントに蓄光顔料８％を含有した繊維の輝度と残光時間の関係。
【図３】本考案の別形態のハーネスを取付けた犬。
【図４】本考案に係るハーネスの実施例。
【符号の説明】
【００２３】
１  犬
２  ハーネス
３  前脚
４  前リング
５  後リング
６  上連結部
７  下連結部
８  リード
９  ハーネス
10  前リング
11  後リング
12  連結部
13  連結具
14  ハーネス
15  バンド
16  連結部
17  アジャスター
18  バックル
【図１】
0003122960.tif 000003
【図２】
0003122960.tif 000004
【図３】
0003122960.tif 000005
【図４】
0003122960.tif 000006